(57)【特許請求の範囲】
【請求項１】
便鉢部、この便鉢部の上端開口部の内周縁に設けられたリム通水路、このリム通水路に沿って洗浄水を吐水するリム吐水口、前記便鉢部の下流側に連続して設けられた便器排水路、及びこの便器排水路の下流側に向けて洗浄水を吐水するジェット吐水口を有する便器本体に洗浄水を供給する便器洗浄装置であって、
給水源に連通する上流側給水路と、この上流側給水路の下流端を分岐して形成したジェット側給水路及びリム側給水路とから構成されており、前記リム吐水口及び前記ジェット吐水口へ洗浄水を供給する給水路と、
前記ジェット側給水路を開閉するジェット用開閉弁と、前記リム側給水路を開閉するリム用開閉弁と、前記ジェット用開閉弁及び前記リム用開閉弁の開閉を制御する制御装置とを有しており、前記リム吐水口及び前記ジェット吐水口から洗浄水を吐水して便器洗浄を行う際、先ず前記リム吐水口から洗浄水を吐水し、その後に連続して前記ジェット吐水口から洗浄水を吐水するように給水先を切り替える給水切替機構と、
前記ジェット側給水路に連通して洗浄水を貯留するタンクを有し、前記リム吐水口及び前記ジェット吐水口から吐水する洗浄水の流量が設定値以上になるように、前記タンク内に貯留した洗浄水の一部を前記リム吐水口から吐水し、残部を前記ジェット吐水口から吐水する流量増幅機構と、
前記ジェット用開閉弁よりも上流側の前記ジェット側給水路に前記流量増幅機構を連通し、この流量増幅機構を連通した連通部よりも上流側の前記ジェット側給水路に設けられ、前記ジェット側給水路の下流側への大流量の流れを許容し、上流側への小流量の流れを許容する流量調整弁とを備えていることを特徴とする便器洗浄装置。
【請求項２】
便鉢部、この便鉢部の上端開口部の内周縁に設けられたリム通水路、このリム通水路に沿って洗浄水を吐水するリム吐水口、前記便鉢部の下流側に連続して設けられた便器排水路、及びこの便器排水路の下流側に向けて洗浄水を吐水するジェット吐水口を有する便器本体に洗浄水を供給する便器洗浄装置であって、
給水源に連通する上流側給水路と、この上流側給水路の下流端を分岐して形成したジェット側給水路及びリム側給水路とから構成されており、前記リム吐水口及び前記ジェット吐水口へ洗浄水を供給する給水路と、
この給水路に設けられ、前記リム吐水口及び前記ジェット吐水口から洗浄水を吐水して便器洗浄を行う際、先ず前記リム吐水口から洗浄水を吐水し、その後に連続して前記ジェット吐水口から洗浄水を吐水するように給水先を切り替える給水切替機構と、
前記ジェット側給水路に連通して洗浄水を貯留するタンクを有し、前記リム吐水口及び前記ジェット吐水口から吐水する洗浄水の流量が設定値以上になるように、前記タンク内に貯留した洗浄水の一部を前記リム吐水口から吐水し、残部を前記ジェット吐水口から吐水する流量増幅機構と、
前記タンクの下流側の前記ジェット側給水路と前記リム側給水路とを連通し、開閉弁と、前記ジェット側給水路から前記リム側給水路へ洗浄水が流れることを許容し、その逆の流れを阻止する逆止弁とが設けられたバイパス流路とを備えていることを特徴とする便器洗浄装置。
【請求項３】
前記ジェット吐水口から吐水する洗浄水の当初の流量は、前記リム吐水口から吐水する洗浄水の流量よりも多いことを特徴とする請求項１または２記載の便器洗浄装置。
【請求項４】
前記リム吐水口から吐水する前記タンク内に貯留した一部の洗浄水の水量よりも前記ジェット吐水口から吐水する前記タンク内に貯留した残部の洗浄水の水量を多くして、前記ジェット吐水口から吐水する洗浄水の水量が前記リム吐水口から吐水する洗浄水の水量よりも多いことを特徴とする請求項１乃至３のいずれか１項記載の便器洗浄装置。
【発明の詳細な説明】
【技術分野】
【０００１】
本発明は便器洗浄装置に関する。
【背景技術】
【０００２】
特許文献１には従来の便器洗浄装置が開示されている。この便器洗浄装置は便器本体に洗浄水を供給する。便器本体は、便鉢部、この便鉢部の上端部の内周縁に設けられたリム通水路、このリム通水路に沿って洗浄水を吐水するリム吐水口、便鉢部の下流側に連続して設けられた便器排水路、及びこの便器排水路の下流側に向けて洗浄水を吐水するジェット吐水口を有している。
【０００３】
便器洗浄装置は弁ユニットを有している。この弁ユニットはリム用開閉弁及びジェット用開閉弁を有している。リム用開閉弁及びジェット用開閉弁の上流側は給水路を介して給水源に連通している。リム用開閉弁の下流側はリム側給水路を介してリム吐水口に連通している。ジェット用開閉弁の下流側はジェット側給水路を介してジェット吐水口に連通している。給水路には洗浄水を蓄圧状態で貯留する蓄圧器が連通している。蓄圧器は、リム用開閉弁及びジェット用開閉弁を閉弁すると、洗浄水がタンク内に流入し、静水圧によって洗浄水を蓄圧状態で貯留することができる。また、蓄圧器は、リム用開閉弁又はジェット用開閉弁が開弁すると、タンクから蓄圧状態で貯留した洗浄水を流出して給水源から供給された洗浄水に付加し、リム吐水口又はジェット吐水口から吐水することができる。
【０００４】
この便器洗浄装置は、リム吐水口及びジェット吐水口から洗浄水を吐水して便器洗浄を行う際、リム吐水口、ジェット吐水口、リム吐水口の順に洗浄水を吐水する。この際、最初のリム吐水口からの洗浄水の吐水、及びジェット吐水口からの洗浄水の吐水には、蓄圧器のタンク内に蓄圧状態で貯留した洗浄水を給水源から供給された洗浄水に付加する。この便器洗浄装置は、最初のリム吐水口からの洗浄水の吐水により蓄圧器のタンク内に蓄圧状態で貯留した洗浄水の全量を流出する。このため、この便器洗浄装置は、ジェット吐水口からの洗浄水の吐水を開始する前に、リム用開閉弁及びジェット用開閉弁を閉弁して、再度、蓄圧器のタンク内に蓄圧状態で洗浄水を貯留する。その後、この便器洗浄装置は、ジェット用開閉弁を開弁してジェット口から洗浄水を吐水する。このように、この便器洗浄装置は、リム吐水口から勢いよく洗浄水を吐水して便鉢部を万遍なく洗浄し、ジェット吐水口から勢いよく洗浄水を吐水して便器排水路から汚物等を排出することができる。
【先行技術文献】
【特許文献】
【０００５】
【特許文献１】特開２００５−１４６６０２号公報
【発明の概要】
【発明が解決しようとする課題】
【０００６】
しかし、特許文献１に開示された便器洗浄装置では、最初のリム吐水口からの洗浄水の吐水を終了してからジェット吐水口からの洗浄水の吐水を開始するまでの間にタイムラグが生じる。便器洗浄において、最初のリム吐水口からの洗浄水の吐水によって便鉢部内の洗浄水の水位が最高水位にある状態で、ジェット吐水口からの洗浄水の吐水を開始することが好ましい。つまり、便鉢部内の洗浄水の水位が最高水位になることで最大になった便鉢部内の洗浄水の位置エネルギーと、ジェット吐水口から吐水する洗浄水の水勢との相乗効果により、便器排水路から汚物等を最も良好に排出することができる。この便器洗浄装置では、最初のリム吐水口からの洗浄水の吐水を終了してからジェット吐水口からの洗浄水の吐水を開始するまでの間にタイムラグが生じるため、ジェット吐水口からの洗浄水の吐水を開始する時点では、便鉢部内の洗浄水の水位が最高水位よりも低下している。このため、この便器洗浄装置は、便鉢部内の洗浄水の位置エネルギーを最大に利用することができず、汚物等の排出性能が劣るおそれがある。特に、節水のために洗浄水量を減少させた場合には、顕著に汚物等の排出性能が劣るおそれがある。
【０００７】
本発明は、上記従来の実情に鑑みてなされたものであって、汚物等の排出性能に優れ、少ない洗浄水量であっても便器洗浄を良好に行うことができる便器洗浄装置を提供することを解決すべき課題としている。
【課題を解決するための手段】
【０００８】
本発明の便器洗浄装置は、便鉢部、この便鉢部の上端開口部の内周縁に設けられたリム通水路、このリム通水路に沿って洗浄水を吐水するリム吐水口、前記便鉢部の下流側に連続して設けられた便器排水路、及びこの便器排水路の下流側に向けて洗浄水を吐水するジェット吐水口を有する便器本体に洗浄水を供給する便器洗浄装置であって、
給水源に連通する上流側給水路と、この上流側給水路の下流端を分岐して形成したジェット側給水路及びリム側給水路とから構成されており、前記リム吐水口及び前記ジェット吐水口へ洗浄水を供給する給水路と、
前記ジェット側給水路を開閉するジェット用開閉弁と、前記リム側給水路を開閉するリム用開閉弁と、前記ジェット用開閉弁及び前記リム用開閉弁の開閉を制御する制御装置とを有しており、前記リム吐水口及び前記ジェット吐水口から洗浄水を吐水して便器洗浄を行う際、先ず前記リム吐水口から洗浄水を吐水し、その後に連続して前記ジェット吐水口から洗浄水を吐水するように給水先を切り替える給水切替機構と、
前記ジェット側給水路に連通して洗浄水を貯留するタンクを有し、前記リム吐水口及び前記ジェット吐水口から吐水する洗浄水の流量が設定値以上になるように、前記タンク内に貯留した洗浄水の一部を前記リム吐水口から吐水し、残部を前記ジェット吐水口から吐水する流量増幅機構と、
前記ジェット用開閉弁よりも上流側の前記ジェット側給水路に前記流量増幅機構を連通し、この流量増幅機構を連通した連通部よりも上流側の前記ジェット側給水路に設けられ、前記ジェット側給水路の下流側への大流量の流れを許容し、上流側への小流量の流れを許容する流量調整弁とを備えていることを特徴とする。
【０００９】
この便器洗浄装置では、流量が設定値以上になるようにタンクに貯留した洗浄水をリム吐水口とジェット吐水口とに分配して吐水する。このため、この便器洗浄装置は、便器洗浄を行う際、リム等水口及びジェット吐水口から吐水する洗浄水の流量を設定値以上にしつつ、リム吐水口からの洗浄水の吐水とジェット吐水口からの洗浄水の吐水とを連続して行うことができる。よって、リム吐水口からの洗浄水の吐水によって便鉢部内の洗浄水の水位が最高水位にある状態でジェット吐水口から洗浄水の吐水を開始することができる。つまり、便鉢部内の洗浄水の位置エネルギーが最大になった状態でジェット吐水口から洗浄水を吐水することができるため、便鉢部内の洗浄水の最大の位置エネルギーとジェット吐水口から吐水される洗浄水の水勢との相乗効果により、少ない洗浄水でも便器排水路から汚物等を良好に排出することができる。なお、流量とは単位時間当たりに通過する水量をいう。
【００１０】
したがって、本発明の便器洗浄装置は、汚物等の排出性能に優れ、少ない洗浄水であっても便器洗浄を良好に行うことができる。
【００１１】
流量増幅機構は蓄圧器であるとよい。この蓄圧器置は、給水路から流入した洗浄水により容積を拡大するタンクと、タンクの容積を減少させる方向に弾性力を付与する弾性体とを有している。この蓄圧器は、下流側の給水路が閉鎖されると、洗浄水の静水圧により、弾性体の弾性力に抗してタンクの容積を拡大しつつ、洗浄水を蓄圧状態で貯留することができる。蓄圧器は、下流側の給水路が開放されると、タンク内に蓄圧状態で貯留した洗浄水を給水路を流れる洗浄水に付加することができる。このように、蓄圧器は、無電源でリム吐水口及びジェット吐水口から吐水する洗浄水の流量を設定値以上に増幅することができる。
【００１２】
また、流量増幅機構はタンクとポンプとから構成されていてもよい。この場合、流量が設定値以上になるようにポンプを駆動することにより、タンクに貯留された洗浄水を流出し、リム吐水口及びジェット吐水口から吐水する洗浄水の流量を設定値以上に増幅することができる。
【００１３】
前記ジェット吐水口から吐水する洗浄水の当初の流量は、前記リム吐水口から吐水する洗浄水の流量よりも多くし得る。この場合、タンクに貯留した洗浄水をリム吐水口とジェット吐水口とに適切に分配して吐水することができる。つまり、ジェット吐水口から吐水する洗浄水は、その水勢により便器排水路内にサイホン作用を発生させる等して便器排水路から汚物等を排出するために利用される。このため、ジェット吐水口から吐水する洗浄水は、吐水を開始した当初にできる限り勢いよく吐水することが好ましい。一方、リム吐水口から吐水する洗浄水は、便鉢部の表面を万遍なく洗浄することが目的であり、ジェット吐水口から吐水する洗浄水の当初の水勢より弱くても便鉢部の表面を万遍なく洗浄することができる。
【００１４】
前記リム吐水口から吐水する前記タンク内に貯留した一部の洗浄水の水量よりも前記ジェット吐水口から吐水する前記タンク内に貯留した残部の洗浄水の水量を多くして、前記ジェット吐水口から吐水する洗浄水の水量が前記リム吐水口から吐水する洗浄水の水量よりも多くし得る。この場合、タンクに貯留した洗浄水をリム吐水口とジェット吐水口とに適切に分配して吐水することができる。つまり、ジェット吐水口から吐水する洗浄水は、便器排水路内にサイホン作用を発生・継続させる等して便器排水路から汚物等を排出するために利用される。このため、ジェット吐水口から吐水する洗浄水はできる限り多い水量であることが好ましい。一方、リム吐水口から吐水する洗浄水は、便鉢部の表面を万遍なく洗浄することが目的であり、ジェット吐水口から吐水する洗浄水の水量よりも少なくても便鉢部の表面を万遍なく洗浄することができる。
【００１５】
前記給水路は、給水源に連通する上流側給水路と、この上流側給水路の下流端を分岐して形成したジェット側給水路及びリム側給水路とから構成されており、
前記流量増幅機構はジェット側給水路に連通している。
【００１６】
この場合、流量増幅機構からジェット吐水口までの流路が短いため、その間を流れる洗浄水の圧力損失を少なくすることができる。このため、この便器洗浄装置は流量増幅機構から流出した洗浄水をジェット吐水口から勢いよく吐水することができる。よって、便器排水路から汚物等を良好に排出することができる。
【００１７】
前記給水切替機構は、前記ジェット側給水路を開閉するジェット用開閉弁と、前記リム側給水路を開閉するリム用開閉弁と、前記ジェット用開閉弁及び前記リム用開閉弁の開閉を制御する制御装置とを有しており、
前記ジェット用開閉弁よりも上流側の前記ジェット側給水路に前記流量増幅機構を連通し、この流量増幅機構を連通した連通部よりも上流側の前記ジェット側給水路に設けられ、前記ジェット側給水路の下流側への大流量の流れを許容し、上流側への小流量の流れを許容する流量調整弁を備えている。
【００１８】
この場合、流量調整弁により、流量増幅機構から流出する洗浄水の流量をジェット吐水口から洗浄水を吐水する際よりもリム吐水口から洗浄水を吐水する際に少なくすることができる。このため、ジェット吐水口から吐水する洗浄水の当初の流量をリム吐水口から吐水する洗浄水の流量よりも多くしたり、ジェット吐水口から吐水する洗浄水の水量をリム吐水口から吐水する洗浄水の水量よりも多くしたりすることが簡易な構造で容易に実現することができる。
【図面の簡単な説明】
【００１９】
【図１】実施例の便器洗浄装置が取り付けられた便器本体を示す平面図である。
【図２】実施例の便器洗浄装置が取り付けられた便器本体を示す断面図である。
【図３】実施例の弁ユニットを示す断面図である。
【図４】実施例の便器洗浄装置を示すブロック図である。
【図５】実施例の便器洗浄装置の蓄圧器への蓄水工程を示す概略図である。
【図６】実施例の便器洗浄装置の便器洗浄待機状態を示す概略図である。
【図７】実施例の便器洗浄装置の鉢洗浄工程を示す概略図である。
【図８】実施例の便器洗浄装置のジェット洗浄工程を示す概略図である。
【図９】実施例の便器洗浄装置の覆水工程を示す概略図である。
【図１０】実施例の便器洗浄装置の便器洗浄における流量変化を示すグラフである。
【図１１】（Ａ）、（Ｂ）、（Ｃ）他の実施例の便器洗浄装置を示すブロック図である。
【図１２】（Ａ）、（Ｂ）他の実施例の便器洗浄装置を示すブロック図である。
【発明を実施するための形態】
【００２０】
本発明の便器洗浄装置を具体化した実施例を図面を参照しつつ説明する。
【００２１】
＜実施例＞
実施例の便器洗浄装置１０は、図１〜図４に示すように、便器本体１に洗浄水を供給する。便器本体１は、便鉢部２、リム通水路３、リム吐水口４Ａ、便器排水路６、及びジェット吐水口７Ａを有している。
【００２２】
リム通水路３は便鉢部２の上端開口部の内周縁に棚状に設けられている。リム吐水口４Ａはリムノズル４の先端面に開口して形成されている。リムノズル４は、便鉢部２の前端Ｆ側から見て便鉢部２の左側後方のコーナー部に配置されている。リムノズル４はリム側給水路の一部を形成するリム側給水管５Ａの下流端部に連結されている。リム吐水口４Ａから吐水された洗浄水は、リム通水路３に沿って便鉢部２の上端周縁を一方向に旋回しつつ、便鉢部２内に流下する。このため、リム吐水口４Ａから洗浄水が吐水されると、便鉢部２内の中心部に向かって旋回流を形成しつつ、便鉢部２内の洗浄水の水位が上昇する。
【００２３】
便器排水路６は便鉢部２の下流側に連続して設けられている。便器排水路６は、便鉢部２の下部から後方かつ斜め上方に向けて延びる上昇流路と、この上昇流路の上端部から屈曲して垂直下方に向けて延びる下降流路とから構成されている。
【００２４】
ジェット吐水口７Ａはジェットノズル７の先端面に開口して形成されている。ジェットノズル７は便器排水路６の上昇流路の上流下端部に取り付けられている。ジェットノズル７はジェット側給水路の一部を形成するジェット側給水管８Ａの下流端部に連結されている。ジェット吐水口７Ａから吐水された洗浄水は、便器排水路６の上昇流路を充満しつつ、便器排水路６の下流側に流れる。
【００２５】
便器洗浄装置１０は、給水切替機構である弁ユニット２０と、流量増幅機構である蓄圧器３０とを備えている。便器洗浄装置１０である弁ユニット２０と蓄圧器３０とは、便器本体１の後部に取り付けられており、上方及び側方を上カバー１１Ｃ及び図示しない下カバーによって覆われている。上カバー１１Ｃは、便器本体１の後方上部に取り付けられ、便座１１Ａ及び便蓋１１Ｂを回動自在に軸支している。下カバーは便器本体１の後方側面に取り付けられている。
【００２６】
弁ユニット２０は、図３及び図４に示すように、上流側流路９Ｂ、及びこの上流側流路９Ｂの下流端を分岐して形成したジェット側流路８Ｂとリム側流路５Ｂとを有している。上流側流路９Ｂは上下方向に延びて形成されている。ジェット側流路８Ｂは、上流側流路９Ｂの下流端である上端部から水平方向に延びてから上方に向けて屈曲し、ジェット用開閉弁２１を介して上下方向に延びている。リム側流路５Ｂは、上流側流路９Ｂの下流端である上端部からジェット側流路８Ｂの水平方向に延びた部分の反対方向に延びてから上方に向けて屈曲し、リム用開閉弁２２を介して上下方向に延びている。
【００２７】
上流側流路９Ｂは上流端である下部に上流側連結部９Ｃを形成している。上流側連結部９Ｃは給水源に連通した給水管９Ａに連結している。このように、上流側給水路は、上流側流路９Ｂ、上流側連結部９Ｃ及び給水管９Ａによって構成されている。上流側流路９Ｂはストレーナー２５を収納している。このストレーナー２５は上流側流路９Ｂの下端部から着脱することができる。上流側流路９Ｂは下流端である上端部に逆止弁２６を配置している。逆止弁２６は、上流側から下流側へ洗浄水が流れることを許容し、その逆の流れを防止する。
【００２８】
ジェット側流路８Ｂは下流端である上部にジェット側連結部８Ｃを形成している。ジェット側連結部８Ｃはジェット側給水管８Ａに連結している。このように、ジェット側給水路は、ジェット側流路８Ｂ、ジェット側連結部８Ｃ及びジェット側給水管８Ａによって構成されている。また、上流側給水路及びジェット側給水路によって、ジェット吐水口７Ａへ洗浄水を供給する給水路を構成している。
【００２９】
ジェット側流路８Ｂは、上流側流路９Ｂの上端部から水平方向に延びた部分であって、上方に向けて屈曲した屈曲部Ｃより上流側に流量調整弁２３を収納している。流量調整弁２３は、ジェット側流路８Ｂを拡径して設けた弁座部８Ｄに下流側から当接する調整弁本体２３Ａと、この調整弁本体２３Ａを弁座部８Ｄに当接する方向に弾性力を付与するコイルばね２３Ｃとを有している。調整弁本体２３Ａは、小孔２３Ｂを貫設している。このように構成された流量調整弁２３は、上流側から下流側へ洗浄水が流れる際、調整弁本体２３Ａが弁座部８Ｄから離座する。このため、流量調整弁２３はジェット側給水路の下流側への大流量の流れを許容する。一方、この流量調整弁２３は、下流側から上流側に洗浄水が流れる際、調整弁本体２３Ａが弁座部８Ｄに着座し、小孔２３Ｂのみを洗浄水を流通させることができる。このため、流量調整弁２３はジェット側給水路の上流側への小流量の流れを許容する。
【００３０】
ジェット側流路８Ｂは屈曲部Ｃの下端部に給排水管３１を介して蓄圧器３０を連通する連通部２７を形成している。また、ジェット側流路８Ｂは屈曲部Ｃの側面部に図示しない局部洗浄装置に洗浄水を供給する局部洗浄用給水路Ｓを形成している。
【００３１】
ジェット側流路８Ｂは、屈曲部Ｃの下流側であり、上下方向に延びた部分の下部にジェット側給水路を開閉するジェット用開閉弁２１を設けている。ジェット用開閉弁２１は、ダイアフラム式の第１主弁２１Ａ、第１主弁２１Ａが離着する第１弁座２１Ｂ、第１主弁２１Ａの背後に形成された第１背圧室２１Ｃ、第１背圧室２１Ｃと第１主弁２１Ａの二次側とを連通する第１排水路２１Ｄ、第１排水路２１Ｄを開閉する第１パイロット弁２１Ｅ、第１パイロット弁２１Ｅを開閉駆動する第１ソレノイド２１Ｆを有している。第１主弁２１Ａは第１背圧室２１Ｃと第１主弁２１Ａの一次側とを連通する第１小孔２１Ｇを貫設している。第１ソレノイド２１Ｆは制御装置２４から送信される開閉信号に基づいて駆動する。
【００３２】
このように構成されたジェット用開閉弁２１は、以下に説明するようにジェット側給水路を開閉する。第１ソレノイド２１Ｆが制御装置２４からの開弁信号を受信すると、第１ソレノイド２１Ｆが駆動して第１パイロット弁２１Ｅが第１排水路２１Ｄを開放する。すると、第１背圧室２１Ｃ内の洗浄水が第１排水路２１Ｄから第１主弁２１Ａの２次側に排水される。これにより、第１主弁２１Ａの第１背圧室２１Ｃ側の面よりもその反対側の面にかかる洗浄水の圧力が高くなり、第１主弁２１Ａが第１弁座２１Ｂから離座してジェット用開閉弁２１が開弁する。一方、第１ソレノイド２１Ｆが制御装置２４からの閉弁信号を受信すると、第１ソレノイド２１Ｆが駆動して第１パイロット弁２１Ｅが第１排水路２１Ｄを閉鎖する。すると、第１主弁２１Ａの一次側から第１小孔２１Ｇを介して第１背圧室２１Ｃ内に洗浄水が流入する。これにより、第１主弁２１Ａの第１背圧室２１Ｃ側の面の方がその反対側の面にかかる洗浄水の圧力よりも高くなり、第１主弁２１Ａが第１弁座２１Ｂに着座して、ジェット用開閉弁２１は閉弁する。
【００３３】
ジェット側流路８Ｂの上端部にはジェット側大気開放弁２８Ａが設けられている。ジェット側大気開放弁２８Ａは、ジェット側給水路を介してジェット吐水口７Ａから洗浄水を吐水していない時には大気開放状態になり、ジェット側大気開放弁２８Ａより下流側を大気に開放している。これにより、ジェット用大気開放弁２８Ａより二次側の汚水がジェット用開閉弁２１より一次側に逆流することを防止している。
【００３４】
リム側流路５Ｂは下流端である上部にリム側連結部５Ｃを形成している。リム側連結部５Ｃはリム側給水管５Ａに連結している。このように、リム側給水路は、リム側流路５Ｂ、リム側連結部５Ｃ及びリム側給水管５Ａによって構成されている。また、上流側給水路及びリム側給水路によって、リム吐水口４Ａへ洗浄水を供給する給水路を構成している。
【００３５】
リム側流路５Ｂは、上流側流路９Ｂの上端部から水平方向に延びた部分に蓋部材２９を収納している。蓋部材２９は、一方の端部（図３における右側）が閉鎖された筒形状であり、内側から外側に洗浄水が流通するように側面に複数の開口部５Ｄが設けられている。開口５Ｄから流出した洗浄水は上下方向に延びたリム側流路５Ｂへ流入する。蓋部材２９はリム側流路５Ｂに対して着脱可能である。このため、蓋部材２９をリム側流路５Ｂから取り外し、流量調整弁２３をジェット側流路８Ｂに収納したり、メンテナンスのために取り外したりすることができる。
【００３６】
リム側流路５Ｂは、上下方向に延びた部分の下部にリム側給水路を開閉するリム用開閉弁２２を設けている。リム用開閉弁２２は、ダイアフラム式の第２主弁２２Ａ、第２主弁２２Ａが離着する第２弁座２２Ｂ、第２主弁２２Ａの背後に形成された第２背圧室２２Ｃ、第２背圧室２２Ｃと第２主弁２２Ａの二次側とを連通する第２排水路２２Ｄ、第２排水路２２Ｄを開閉する第２パイロット弁２２Ｅ、第２パイロット弁２２Ｅを開閉駆動する第２ソレノイド２２Ｆを有している。第２主弁２２Ａは第２背圧室２２Ｃと第２主弁２２Ａの一次側とを連通する第２小孔２２Ｇを貫設している。第２ソレノイド２２Ｆは制御装置２４から送信される開閉信号に基づいて駆動する。
【００３７】
このように構成されたリム用開閉弁２２は、以下に説明するようにリム側給水路を開閉する。第２ソレノイド２２Ｆが制御装置２４からの開弁信号を受信すると、第２ソレノイド２２Ｆが駆動して第２パイロット弁２２Ｅが第２排水路２２Ｄを開放する。すると、第２背圧室２２Ｃ内の洗浄水が第２排水路２２Ｄから第２主弁２２Ａの２次側に排水される。これにより、第２主弁２２Ａの第２背圧室２２Ｃ側よりもその反対側の面にかかる洗浄水の圧力が高くなり、第２主弁２２Ａが第２弁座２２Ｂから離座してリム用開閉弁２２が開弁する。一方、第２ソレノイド２２Ｆが制御装置２４からの閉弁信号を受信すると、第２ソレノイド２２Ｆが駆動して第２パイロット弁２２Ｅが第２排水路２２Ｄを閉鎖する。すると、第２主弁２２Ａの一次側から第２小孔２２Ｇを介して第２背圧室２２Ｃ内に洗浄水が流入する。これにより、第２主弁２２Ａの第２背圧室２２Ｃ側の面の方がその反対側の面にかかる洗浄水の圧力よりも高くなり、第２主弁２２Ａが第２弁座２２Ｂに着座して、リム用開閉弁２２は閉弁する。
【００３８】
リム側流路５Ｂの上端部にはリム側大気開放弁２８Ｂが設けられている。リム側大気開放弁２８Ｂは、リム側給水路を介してリム吐水口４Ａから洗浄水を吐水していない時には大気開放状態になり、リム側大気開放弁２８Ｂより下流側を大気に開放している。これにより、リム用大気開放弁２８Ｂより二次側の汚水がリム用開閉弁２２より一次側に逆流することを防止している。
【００３９】
蓄圧器３０は、図５〜図９に示すように、往復移動する隔壁３２を収納し、この隔壁３２の往復移動によって容積を増減するタンク３３を有している。蓄圧器３０は、タンク３３の容積を減少させる方向に隔壁３２に対して弾性力を付与するコイルばね３４を有している。このため、蓄圧器３０のタンク３３は、給排水管３１を介して洗浄水が流入すると容積を拡大しつつ、洗浄水を蓄圧状態で貯留することができる。
【００４０】
次に、この便器洗浄装置１０が便器本体１に洗浄水を供給して行う便器洗浄について説明する。
【００４１】
［蓄圧器への蓄水工程］
便器洗浄装置１０は、図５に示すように、ジェット用開閉弁２１及びリム用開閉弁２２を閉弁する。この状態では、給水源に連通した給水管９Ａから弁ユニット２０に流入する洗浄水は、上流側連結部９Ｃ、上流側流路９Ｂ、ジェット側流路８Ｂの水平方向に延びた部分、流量調整弁２３、屈曲部Ｃに形成された連通部２７、及び給排水管３１を経由して蓄圧器３０のタンク３３内に流入する。タンク３３内に流入した洗浄水によって、コイルばね３４の弾性力に抗してタンク３３の容積が増加する方向に隔壁３２が移動する。
【００４２】
［便器洗浄待機状態］
タンク３３内に洗浄水が流入を開始して所定時間を経過すると、便器洗浄装置１０は、図６に示すように、タンク３３内には静水圧と同じ圧力の蓄圧状態で洗浄水が貯留される。この状態が便器洗浄の待機状態になる。
【００４３】
［鉢洗浄工程］
図示しない便器洗浄スイッチが操作されると、制御装置２４がリム用開閉弁２２の第２ソレノイド２２Ｆに対して開弁信号を発信し、図７に示すように、リム用開閉弁２２が開弁する。この際、ジェット用開閉弁２１は閉弁した状態のままである。
【００４４】
リム用開閉弁２２が開弁すると、給水源に連通した給水管９Ａから弁ユニット２０に流入する洗浄水は、上流側連結部９Ｃ及び上流側流路９Ｂを介してリム側流路５Ｂへ向けて流入する。また、蓄圧器３０のタンク３３内に蓄圧状態で貯留された洗浄水は、静水圧で蓄圧されているため、給水源から弁ユニット２０に流入する洗浄水の流動圧よりも高い。このため、蓄圧器３０のタンク３３内に蓄圧状態で貯留した洗浄水も給排水管３１、流量調整弁２３の小孔２３Ｂ、及びジェット側流路８Ｂの水平方向に延びた部分を介してリム側流路５Ｂへ向けて流入する。つまり、リム側流路５Ｂの上流部で、給水源から供給された洗浄水に蓄圧器３０のタンク３３内に蓄圧状態で貯留した洗浄水が付加される。このようにして、流量を増幅した洗浄水が、リム側流路５Ｂ、リム側連結部５Ｃ、及びリム側給水管５Ａを介してリムノズル４に設けられたリム吐水口４Ａからリム通水路３に沿って吐水される。
【００４５】
リム吐水口４Ａから吐水される洗浄水は、図１０に示すように、給水源から供給される洗浄水Ｒ１に蓄圧器３０のタンク３３内に蓄圧状態で貯留された洗浄水Ｐ１が付加される。このため、給水源から供給される洗浄水Ｒ１の流量が少なくても、リム吐水口４Ａから吐水する洗浄水の流量を設定値以上にすることができる。これにより、リム吐水口４Ａから洗浄水を勢いよく吐水することができ、リム通水路３の終端まで洗浄水を流すことができる。このため、便鉢部２の全体を万遍なく洗浄することができる。また、便鉢部２内の洗浄水の水位を上昇させることができる。
【００４６】
また、蓄圧器３０のタンク３３内に蓄圧状態で貯留された洗浄水は、流量調整弁２３の小孔２３Ｂを介してリム側流路５Ｂに流入しているため、タンク３３から流出する洗浄水の流量を抑え、タンク３３から洗浄水が一気に流出してしまうことを防止している。このため、蓄圧器３０のタンク３３内に蓄圧状態で貯留された洗浄水の一部だけをリム吐水口４Ａから吐水することができる。このように、流量調整弁２３によって、リム吐水口４Ａから吐水される洗浄水の流量や水量の調整を簡易な構造で容易に行うことができる。
【００４７】
便器洗浄スイッチが操作されてから設定時間（Ｔ１）を経過後にリム用開閉弁２２が閉弁するように、制御装置２４がリム用開閉弁２２の第２ソレノイド２２Ｆに対して閉弁信号を発信する。このようにして、リム用開閉弁２２が閉弁し、鉢洗浄工程が終了する。
【００４８】
［ジェット洗浄（汚物等排出）工程］
便器洗浄スイッチが操作されてから設定時間（Ｔ１）が経過する直前に制御装置２４がジェット用開閉弁２１の第１ソレノイド２１Ｆに対して開弁信号を発信し、図８に示すように、ジェット用開閉弁２１が開弁する。
【００４９】
ジェット用開閉弁２１が開弁すると、給水源に連通した給水管９Ａから弁ユニット２０に流入する洗浄水は、上流側連結部９ｃ及び上流側流路９Ｂを介してジェット側流路８Ｂへ向けて流入する。ジェット側流路８Ｂに流入した洗浄水によって、流量調整弁２３の調整弁本体２３Ａが弁座部８Ｄから離座する。このように、流量調整弁２３は、下流側への大流量の流れを許容するため、給水源に連通した給水管９Ａからジェット側流路８Ｂに流入した洗浄水は、流量を減少させることなく、ジェット側流路８Ｂの下流側に流入させることができる。
【００５０】
また、蓄圧器３０のタンク３３内に蓄圧状態で貯留された洗浄水は、静水圧で蓄圧されているため、給水源から弁ユニット２０に流入する洗浄水の流動圧よりも高い。このため、蓄圧器３０のタンク３３内に蓄圧状態で貯留した洗浄水も給排水管３１を介して連結部２７からジェット側流路８Ｂへ向けて流入する。つまり、流量調整弁２３より下流側のジェット側流路８Ｂで、給水源から供給された洗浄水に蓄圧器３０のタンク３３内に蓄圧状態で貯留した洗浄水が付加される。このようにして、流量を増幅した洗浄水が、ジェット側流路８Ｂ、ジェット側連結部８Ｃ、及びジェット側給水管８Ａを介してジェットノズル７に設けられたジェット吐水口７Ａから便器排水路６の上昇流路に沿って吐水される。
【００５１】
蓄圧器３０のタンク３３が給排水管３１を介して、流量調整弁２３より下流側のジェット側流路８Ｂに連通しているため、洗浄水の流れに抵抗となるものが少なく、かつジェット吐水口７Ａまでの流路が短い。このため、ジェット吐水口７Ａまで流れる間の洗浄水の圧力損失を少なくすることができる。よって、タンク３３に蓄圧状態で貯留した洗浄水を付加した洗浄水をジェット吐水口７Ａから勢いよく吐水することができる。
【００５２】
ジェット吐水口７Ａから吐水される洗浄水は、図１０に示すように、給水源から供給される洗浄水Ｊに蓄圧器３０のタンク３３内に蓄圧状態で貯留された洗浄水Ｐ２が付加される。このため、給水源から供給される洗浄水Ｊの流量が少なくても、ジェット吐水口７Ａから吐水する洗浄水の流量を設定値以上にすることができる。これにより、ジェット吐水口７Ａから洗浄水を勢いよく吐水することができる。
【００５３】
また、リム用開閉弁２２が閉弁（鉢洗浄工程が終了）する直前にジェット用開閉弁２１を開弁しているため、リム吐水口４Ａからの洗浄水の吐水とジェット吐水口７Ａからの洗浄水の吐水とが連続している。このため、リム吐水口４Ａからの洗浄水の吐水によって便鉢部２内の洗浄水の水位が最高水位にある状態でジェット吐水口７Ａから洗浄水の吐水を開始することができる。つまり、便鉢部２内の洗浄水の位置エネルギーが最大になった状態でジェット吐水口７Ａから洗浄水を吐水することができるため、便鉢部２内の洗浄水の最大エネルギーとジェット吐水口７Ａから吐水される洗浄水の水勢との相乗効果により、便器排水路６内にサイホン作用を発生させ、少ない洗浄水でも便器排水路６から汚物等を良好に排出することができる。
【００５４】
したがって、実施例の便器洗浄装置１０は、汚物等の排出性能に優れ、少ない洗浄水であっても便器洗浄を良好に行うことができる。
【００５５】
また、タンク３３内に蓄圧状態で貯留された洗浄水Ｐ２は、鉢洗浄工程の際にリム吐水口４Ａから吐水される場合に比べ、ジェット吐水口７Ａから吐水される場合の方が圧力損失が少なく、流量が多い。このため、ジェット用開閉弁２１が開弁した当初、つまり、ジェット吐水口７Ａから洗浄水が吐水される当初の流量は、鉢洗浄工程の際にリム吐水口４Ａから吐水される洗浄水の流量よりも多い。その後、タンク３３内の蓄圧状態で貯留された洗浄水は時間の経過とともに減少するため、ジェット吐水口７Ａから吐水される洗浄水の流量は減少する。
【００５６】
このように、便器洗浄装置１０は、タンク３３内に蓄圧状態で貯留した洗浄水をリム吐水口４Ａとジェット吐水口７Ａとに適切に分配して吐水することができる。つまり、ジェット吐水口７Ａから吐水する洗浄水は、その水勢により便器排水路６内にサイホン作用を発生させて便器排水路６から汚物等を排出するために利用される。このため、ジェット吐水口７Ａから吐水する洗浄水は、吐水を開始した当初にできる限り勢いよく吐水することが好ましい。一方、鉢洗浄工程の際にリム吐水口４Ａから吐水する洗浄水は、便鉢部２の表面を万遍なく洗浄することが目的であり、ジェット吐水口７Ａから吐水する洗浄水の当初の水勢より弱くても便鉢部２の表面を万遍なく洗浄することができる。
【００５７】
便器洗浄スイッチが操作されてから設定時間（Ｔ２）を経過後にジェット用開閉弁２１が閉弁するように、制御装置２４がジェット用開閉弁２１の第１ソレノイド２１Ｆに対して閉弁信号を発信する。このようにして、ジェット用開閉弁２１が閉弁し、ジェット洗浄工程が終了する。ジェット洗浄工程において、タンク３３内に蓄圧状態で貯留した洗浄水は、全てジェット吐水口７Ａから吐水される。
【００５８】
ジェット洗浄工程においてジェット吐水口７Ａから吐水する洗浄水の水量は、鉢洗浄工程においてリム吐水口４Ａから吐水する洗浄水の水量よりも多い。このように、便器洗浄装置１０は、タンク３３内に蓄圧状態で貯留した洗浄水をリム吐水口４Ａとジェット吐水口７Ａとに適切に分配して吐水することができる。つまり、ジェット吐水口７Ａから吐水する洗浄水は、便器排水路６内にサイホン作用を発生・継続させて便器排水路６から汚物等を排出するために利用される。このため、ジェット吐水口７Ａから吐水する洗浄水はできる限り多い水量であることが好ましい。一方、鉢洗浄工程の際にリム吐水口４Ａから吐水する洗浄水は、便鉢部２の表面を万遍なく洗浄することが目的であり、ジェット吐水口７Ａから吐水する洗浄水の水量よりも少なくても便鉢部２の表面を万遍なく洗浄することができる。
【００５９】
［覆水工程］
便器洗浄スイッチが操作されてから設定時間（Ｔ２）が経過する直前に制御装置２４がリム用開閉弁２２の第２ソレノイド２２Ｆに対して開弁信号を発信し、図９に示すように、リム用開閉弁２２が開弁する。
【００６０】
リム用開閉弁２２が開弁した時点では、蓄圧器３０のタンク３３内には洗浄水が貯留されていない。このため、リム用開閉弁２２が開弁すると、給水源に連通した給水管９Ａから弁ユニット２０に流入する洗浄水のみが、上流側連結部９Ｃ、上流側流路９Ｂ、リム側流路５Ｂ、リム側連結部５Ｃ、及びリム側給水管５Ａを介してリムノズル４に設けられたリム吐水口４Ａからリム通水路３に沿って吐水される。
【００６１】
リム吐水口４Ａから吐水される洗浄水は、図１０に示すように、給水源から供給される洗浄水Ｒ２のみであり、便鉢部２内に貯留されて水封が形成される。便器洗浄スイッチが操作されてから設定時間（Ｔ３)を経過後にリム用開閉弁２２が開弁するように、制御装置２４がリム用開閉弁２２の第２ソレノイド２２Ｆに対して閉弁信号を発信する。このようにして、リム用開閉弁２２が閉弁し、覆水工程が終了する。
【００６２】
覆水工程が終了すると、便器洗浄装置１０は、図５に示すように、ジェット用開閉弁２１及びリム用開閉弁２２が閉弁した状態になる。このため、便器洗浄装置１０は、蓄圧器３０への蓄水工程を経由して、便器洗浄待機状態に復帰する。
【００６３】
本発明は上記記述及び図面によって説明した実施例に限定されるものではなく、例えば次のような実施例も本発明の技術的範囲に含まれる。
【００６４】
（１）実施例では、ジェット側給水路に流量調整弁２３を設けていたが、流量調整弁２３を設けなくてもよい。
【００６５】
本発明の技術的範囲に含まれない参考例として、図１１（Ａ）に示すように、上流側給水路９Ａ、９Ｂ、９Ｃに開閉弁４０を介して蓄圧器３０を連通する。この便器洗浄装置１００では、鉢洗浄工程の際にリム用開閉弁２２を開閉するタイミング及びジェット洗浄工程の際にジェット用開閉弁２１を開閉するタイミングに合わせて、開閉弁４０を開閉する。これにより、リム吐水口４Ａ及びジェット吐水口７Ａから吐水する洗浄水の流量を設定値以上にしつつ、リム吐水口４Ａからの洗浄水の吐水とジェット吐水口７Ａからの洗浄水の吐水とを連続して行うことができる。
【００６６】
また、本発明の技術的範囲に含まれない参考例として、図１１（Ｂ）に示すように、上流側給水路９Ａ、９Ｂ、９Ｃに流路切替弁５０と管径が相違する給排水管５０Ａ、５０Ｂを介して蓄圧器３０を連通する。この便器洗浄装置１１０では、流路切替弁５０を切り替えることにより、鉢洗浄工程の際に管径が小さい方の給排水管５０Ａから蓄圧器３０に蓄圧状態で貯留された洗浄水が流出する。一方、ジェット洗浄工程の際に管径が大きい方の給排水管５０Ｂから蓄圧器３０に蓄圧状態で貯留された洗浄水が流出する。これにより、ジェット洗浄工程の際にジェット吐水口７Ａから吐水する洗浄水の当初の流量を鉢洗浄工程の際にリム吐水口４Ａから吐水する洗浄水の流量よりも多くすることができる。
【００６７】
また、図１１（Ｃ）に示すように、ジェット側流路８Ｂに流路切替弁５１を介して蓄圧器３０を連通するとよい。この便器洗浄装置１２０では、鉢洗浄工程の際にリム用開閉弁２２を開閉するタイミング及びジェット洗浄工程の際にジェット用開閉弁２１を開閉するタイミングに合わせて、流路切替弁５１を切り替えて、蓄圧器３０に蓄圧状態で貯留された洗浄水をリム吐水口４Ａ又はジェット吐水口７Ａから吐水する洗浄水に付加する。これにより、リム吐水口４Ａ及びジェット吐水口７Ａから吐水する洗浄水の流量を設定値以上にしつつ、リム吐水口４Ａからの洗浄水の吐水とジェット吐水口７Ａからの洗浄水の吐水とを連続して行うことができる。
【００６８】
（２）実施例では、流量増幅機構として蓄圧器３０を採用していたが、流量増幅機構はタンクとポンプとから構成してもよい。
【００６９】
この場合、図１２（Ａ）に示すように、タンク３５及びポンプ３６をジェット側給水路８Ａ、８Ｂ、８Ｃの上流側から順に直列的に設けるとよい。この便器洗浄装置２００は、上流側給水路９Ａ、９Ｂ、９Ｃに開閉弁４１、上流側給水路９Ａ、９Ｂ、９Ｃがリム側給水路５Ａ、５Ｂ、５Ｃとジェット側給水路８Ａ、８Ｂ、８Ｃとに分岐する部分に流路切替弁５２を設けている。また、この便器洗浄装置２００は、ポンプ３６の下流側のジェット側給水路８Ａ、８Ｂ、８Ｃとリム側給水路５Ａ、５Ｂ、５Ｃと連通するパイパス流路７０を設けている。バイパス流路７０は開閉弁４２と逆止弁６０とを設けている。逆止弁６０は、ジェット側給水路８Ａ、８Ｂ、８Ｃからリム側給水路５Ａ、５Ｂ、５Ｃへ洗浄水が流れることを許容し、その逆の流れを阻止する。
【００７０】
この便器洗浄装置２００では、鉢洗浄工程において、リム吐水口４Ａから洗浄水を吐水する際、流路切替弁５２を切り替えて、給水源から供給される洗浄水をリム吐水口４Ａに供給するとともに、開閉弁４２を開弁し、かつポンプ３６を駆動してタンク３５に貯留された一部の洗浄水をバイパス流路７０を介してリム吐水口４Ａに供給する。また、ジェット洗浄工程において、ジェット吐水口７Ａから洗浄水を吐水する際、開閉弁４２を閉弁し、かつポンプ３６を駆動してタンク３５に貯留された残部の洗浄水をジェット吐水口７Ａに供給する。この際、ポンプ３６はリム吐水口４Ａ及びジェット吐水口７Ａから吐水する洗浄水の流量を設定値以上になるように駆動する。
【００７１】
また、図１２（Ｂ）に示すように、上流側から順にタンク３５及びポンプ３６の順に配置された増幅流路３７をジェット側給水路８Ａ、８Ｂ、８Ｃに並列的に設けるとよい。この便器洗浄装置２１０も、上流側給水路９Ａ、９Ｂ、９Ｃに開閉弁４１、上流側給水路９Ａ、９Ｂ、９Ｃがリム側給水路５Ａ、５Ｂ、５Ｃとジェット側給水路８Ａ、８Ｂ、８Ｃとに分岐する部分に流路切替弁５２を設けている。また、この便器洗浄装置２１０は、増幅流路３７の下流端がジェット側給水路８Ａ、８Ｂ、８Ｃに合流する部分よりも下流側のジェット側給水路８Ａ、８Ｂ、８Ｃとリム側給水路５Ａ、５Ｂ、５Ｃと連通するパイパス流路７０を設けている。バイパス流路７０は開閉弁４２と逆止弁６０とを設けている。逆止弁６０は、ジェット側給水路８Ａ、８Ｂ、８Ｃからリム側給水路５Ａ、５Ｂ、５Ｃへ洗浄水が流れることを許容し、その逆の流れを阻止する。
【００７２】
この便器洗浄装置２１０では、鉢洗浄工程において、リム吐水口４Ａから洗浄水を吐水する際、流路切替弁５２を切り替えて、給水源から供給される洗浄水をリム吐水口４Ａに供給するとともに、開閉弁４２を開弁し、かつポンプ３６を駆動してタンク３５に貯留された一部の洗浄水をバイパス流路７０を介してリム吐水口４Ａに供給する。また、ジェット洗浄工程において、ジェット吐水口７Ａから洗浄水を吐水する際、流路切替弁５２を切り替えて、給水源から供給される洗浄水をジェット吐水口７Ａに供給するとともに、開閉弁４２を閉弁し、かつポンプ３６を駆動してタンク３５に貯留された残部の洗浄水をジェット吐水口７Ａに供給する。この際、ポンプ３６はリム吐水口４Ａ及びジェット吐水口７Ａから吐水する洗浄水の流量を設定値以上になるように駆動する。
【産業上の利用可能性】
【００７３】
本発明は水洗式便器に利用可能である。
【符号の説明】
【００７４】
１…便器本体
２…便鉢部
３…リム通水路
４Ａ…リム吐水口
６…便器排水路
７Ａ…ジェット吐水口
５Ａ、５Ｂ、５Ｃ…リム側給水路（５Ａ…リム側給水管、５Ｂ…リム側流路、５Ｃ…リム側連結部）
８Ａ、８Ｂ、８Ｃ…ジェット側給水路（８Ａ…ジェット側給水管、８Ｂ…ジェット側流路、８Ｃ…ジェット側連結部）
９Ａ、９Ｂ、９Ｃ…上流側給水路（９Ａ…給水管、９Ｂ…上流側流路、９Ｃ…上流側連結部）
５Ａ、５Ｂ、５Ｃ、８Ａ、８Ｂ、８Ｃ、９Ａ、９Ｂ、９Ｃ…給水路
１０、１００、１１０、１２０、２００、２１０…便器洗浄装置
２０…弁ユニット（給水切替機構）
２１…ジェット用開閉弁
２２…リム用開閉弁
２３…流量調整弁
２４…制御装置
３０…蓄圧器（流量増幅機構）
３３…タンク
３５、３６…流量増幅機構（３５…タンク、３６…ポンプ）
【図１】
0005700483.tif 000002
【図２】
0005700483.tif 000003
【図３】
0005700483.tif 000004
【図４】
0005700483.tif 000005
【図５】
0005700483.tif 000006
【図６】
0005700483.tif 000007
【図７】
0005700483.tif 000008
【図８】
0005700483.tif 000009
【図９】
0005700483.tif 000010
【図１０】
0005700483.tif 000011
【図１１】
0005700483.tif 000012
【図１２】
0005700483.tif 000013